(57)【特許請求の範囲】
【請求項１】
被固定部材面に固定されるとともに、管を保持する管保持部材と、当該管保持部材に装着されるカバー部材と、を備えた配管用固定具であって、
前記管保持部材に、互い違いに隣接させた対の係合爪を備えた係合部を形成し、
前記カバー部材に、前記係合部が着脱自在に係合する被係合部を形成し、
前記対の係合爪は、互いに反対向きに形成されたガイド部を各々有すると共に、その基端側を支点として互いに近づく方向に弾性的に進退し、
前記被係合部は、前記互い違いに隣接させた対の係合爪が挿入される係合溝を備えてなり、前記対の係合爪は、前記係合溝に挿入されて当該係合溝に係合し、前記管保持部材に前記カバー部材を固定する配管用固定具。
【請求項２】
前記係合溝は、前記係合部が挿入される入口と、当該入口から挿入された係合部を収容する収容部と、当該収容部の入口が該収容部よりも狭くなるように画成する入口画成延出部と、を備え、前記互い違いに隣接した対の係合爪は、前記入口に挿入される際に、その基端側を支点として互いに近づく方向に弾性的に進退し、前記入口を超えると復元して前記入口画成延出部に係合する請求項１記載の配管用固定具。
【請求項３】
前記ガイド部は、隣接した係合爪に対向する面とは反対側の面の先端部に、先端から基端方向に向けて鋭角的に突出してなる請求項１または請求項２のいずれか一項に記載の配管用固定具。
【請求項４】
前記管保持部材は、前記被固定部材面に固定される固定部を備え、当該固定部は、断面略Ｌ字状に形成されてなる請求項１ないし請求項３のいずれか一項に記載の配管用固定具。
【請求項５】
前記固定部の一端に、断面略Ｌ字状を備えた第２の固定部を、前記固定部と同じ向きで設けた請求項４記載の配管用固定具。
【請求項６】
前記管保持部材は、保持される管の長手方向の側面に、隣接した管保持部材同士を連結する連結部を設けた請求項１ないし請求項５のいずれか一項に記載の配管用固定具。
【請求項７】
前記管保持部材は、管を保持する保持部を複数備えてなる請求項１ないし請求項６のいずれか一項に記載の配管用固定具。
【発明の詳細な説明】
【０００１】
【発明が属する技術分野】
本発明は、配管用固定具に係り、特に、建物の壁面や天井等の被固定部材面に、管やパイプ等を美観よく配管・固定するための配管用固定具に関する。
【０００２】
【従来の技術】
従来、管を建物の壁面や天井等の被固定部材面に配管・固定する際には、例えば、前記管を束ねたり把持することが可能な固定バンドを前記被固定部材面に、粘着テープやねじ等により固定し、この固定された固定バンドに管を把持させる方法をとっていた。このような固定バンドとしては、例えば、実開昭５９−１３１６８０号公報に記載されているようなものがある。
【０００３】
この固定バンドを使用した配管は、管を被固定部材面に着脱自在に固定することができるが、被固定部材面に前記管が露出されたまま突設した外観となり、見る人に与える印象が悪いという欠点があった。
【０００４】
そこで、管を前記のような固定バンドで被固定部材面に固定した後、前記管をそっくり囲むようなカバーを設置する配管装置が提案されている。このような配管装置としては、例えば、実開昭５７−１６９８７９号公報に開示されたものがある。
【０００５】
この公報に記載されている配管装置は、管を把持する固定バンドと、この固定バンドに把持された管を包囲する略コ字状のカバーとから構成されている。具体的には、前記固定バンドのベース側面に蟻溝状突起を設け、前記カバーの両端に前記蟻溝状突起に係合する蟻溝を設け、前記蟻溝状突起と蟻溝を係合させることで、固定バンドにカバーを設置することで、前記カバーにより管を包囲する構成となっている。
【０００６】
なお、前記固定バンドは、通常、ある程度の長さを備えた管の両端部を把持するような間隔で、被固定部材面に固定される。また、前記カバーは、前記間隔で固定された互いに隣接する固定バンドが、カバーの両端部に対応するような長さを備えている。
【０００７】
【発明を解決しようとする課題】
しかしながら、前記配管装置のカバーは前述したように、ある程度の長さを有しており、前記配管装置は、固定バンドの蟻溝状突起に、カバーの蟻溝を係合させることにより両者を固定させる構造を有している。したがって、前記被固定部材面に歪み等があると、前記固定バンドに、前記カバーを係合させて固定する際に、前記カバーが不要に曲げられたり、歪んだりするという問題がある。このため、隣接するカバー同士の継ぎ目に隙間が生じたり、カバーに不要な応力がかかり、カバーの寿命が低下するという問題が発生する。また、前記被固定部材面の歪みが大きい場合には、固定バンドにカバーを係合させることが困難になる場合もある。
ここで、管を配管・固定する建物の壁面や天井面等の被固定部材面には、殆どの場合、ある程度の歪みが生じているのが実情である。
【０００８】
また、前記従来の配管装置は、それ自身を小型化する工夫が何等なされておらず、被固定部材面から突設される部分をよりすっきりと、コンパクトにして、さらに美観を向上させることが望まれている。
【０００９】
本発明は、このような従来の問題点を解決することを課題とするものであり、被固定部材面の歪みや、配管用固定具自身の寸法誤差等に対する許容範囲が広く、カバー部材がずれたり曲がったりすることを防止でき、かつ小型化が達成され、美観に優れた配管用固定具を提供することを目的とするものである。
【００１０】
【課題を解決するための手段】
この目的を達成するため、本発明は、前記管保持部材に、互い違いに隣接させた対の係合爪を備えた係合部を形成し、前記カバー部材に、前記係合部が着脱自在に係合する被係合部を形成し、前記対の係合爪は、互いに反対向きに形成されたガイド部を各々有し、前記被係合部は、前記互い違いに隣接させた対の係合爪が挿入される係合溝を備えてなり、前記対の係合爪は、前記係合溝に挿入されて当該係合溝に係合し、前記管保持部材に前記カバー部材を固定する配管用固定具を提供するものである。
【００１１】
前記係合溝は、前記係合部が挿入される入口と、当該入口から挿入された係合部を収容する収容部と、当該収容部の入口が該収容部よりも狭くなるように画成する入口画成延出部と、を備え、前記互い違いに隣接した対の係合爪は、前記入口に挿入される際に、その基端側を支点として互いに近づく方向に弾性的に進退し、前記入口を超えると復元して前記入口画成延出部に係合することができる。
【００１２】
このような構造を備えた配管用固定具は、隣接した係合爪が互い違いに形成されているため、前記弾性的な進退を行うためのスペースを大きくとることができる。したがって、係合部が被係合部に適応する許容範囲が大きくなる。
【００１３】
前記ガイド部は、隣接した係合爪に対向する面とは反対側の面の先端部に、先端から基端方向に向けて鋭角的に突出してなるよう構成することができる。
【００１４】
この構成により、係合部と被係合部との係合がより簡単に行える。
【００１５】
前記管保持部材は、前記被固定部材面に固定される固定面を備え、当該固定面は、略Ｌ字状に形成することができる。この構成により、被固定部材のコーナー部分に固定するための管保持部材のサイズを小さくでき、前記コーナー部分に対する適用性が向上する。
【００１６】
また、前記固定部の一端に、略Ｌ字状を備えた第２の固定部を、前記固定部と同じ向きで設けることができる。この構成により、例えば、回り縁部分に対する適用性が向上する。
【００１７】
そしてまた、前記管保持部材は、保持される管の長手方向の側面に、隣接した管保持部材同士を連結する連結部を設けることができる。この構成により、カバー部材同士の繋ぎ目がずれることが防止される。
【００１８】
また、前記管保持部材は、管を保持する保持部を複数備えることができる。
【００１９】
【発明の実施の形態】
次に、本発明に係る実施の形態について図面を参照して説明する。なお、本発明では、「管」とは、管、パイプ、チューブ、ホース、電線、電纜等を総称するものと定義する。また、「配管」とは、「配線」を包含するものと定義する。
【００２０】
（実施の形態１）
図１は実施の形態１に係る配管用固定具の斜視図、図２は図１に示す配管用固定具のII−II線に沿った断面図、図３は図１に示す配管用固定具の管保持部材の右側面図、図４は図１に示す配管用固定具のカバー部材の展開平面図、図５は図４に示すカバー部材の展開正面図、図６は図１に示す配管用固定具の管保持部材がカバー部材に係合する工程を示す断面工程図である。
【００２１】
なお、実施の形態１では、配管用固定具が固定される被固定部材として、建物の壁を使用した場合について説明する。
【００２２】
図１ないし図５に示す配管用固定具１は、管保持部材１００と、この管保持部材１００に着脱自在に係合するカバー部材２００とから構成されている。
【００２３】
管保持部材１００は、略コ字状のベース１１０と、ベース１１０に設けられ、管３０１を保持する第１の保持部１２０及び管３０２を保持する第２の保持部１３０と、ベース１１０の両側に設けられ、カバー部材２００の被係合部２１０の係合溝２１２に係合する係合部１４０を備えている。
【００２４】
ベース１１０は、板状のベース本体１０１と、ベース本体１０１の一対の対向した縁部から若干内側に各々立設された側壁１０２及び１０３から構成されている。
【００２５】
ベース本体１０１の前記縁部には、ベース本体１０１の、側壁１０２及び１０３が設けられている面（以後、こちら側の面を「上面」、この上面と反対側の面を「下面」という）に対し略垂直に突出した延出部１０１Ａ及び１０１Ｂが設けられている。また、ベース本体１０１の延出部１０１Ａ及び１０１Ｂが形成されていない側の両端部には、管保持部材１００を建物の壁４００に取付け・固定するねじ４０１が挿入される取付穴１０４が貫通形成されている。この両端部の一方の端面中央部には、複数の配管固定具１を連結するための穴１０５が形成されている。また、この両端部の他方の端面中央部には、穴１０５に嵌合する凸部１０６が形成されている。
【００２６】
側壁１０２は、略中央位置より上側（ベース本体から離れた側、以後こちら側を「上」とする）が、延出部１０１Ａ面と水平な同一面上に位置するように外側に向けて張り出した断面略Ｚ字状を備えている。側壁１０２の上端には、断面略Ｌ字状の延出部１０７Ａが設けられている。この延出部１０７Ａの長手方向端部であって、穴１０５が形成されている側の端面には、穴１０５と同様の穴１０５が設けられており、反対側の端面には、穴１０５に嵌合する凸部１０６が設けられている。また、側壁１０２の略中央位置より下側の略中央部外側には、係合部１４０が設けられている。
【００２７】
係合部１４０は、ベース本体１０１と平行に外側に向けて突出した第１の係合爪１４１と、これと互い違いに一段低く平行に隣接した第２の係合爪１４２から構成されている。
【００２８】
第１の係合爪１４１は、その基端側を支点として上下方向に弾性的に変形する（たわむ）ことができるよう設計されている。また、第１の係合爪１４１の先端部には、先端から基端側に向けて上向きに鋭角的に傾斜した状態で突出したガイド部１４３が形成されている。このガイド部１４３は、後に詳細するが、カバー部材２００の係合溝２１２に第１の係合爪１４１を挿入しやすくするためのものであり、かつ係合溝２１２の入口２１３を画成する入口画成延出部２０８に、第１の係合爪１４１を係合させる役割を果たすものである。
【００２９】
第２の係合爪１４２は、その基端側を支点として上下方向に弾性的に変形する（たわむ）ことができるよう設計されている。また、第２の係合爪１４２の先端部には、先端から基端側に向けて下向きに鋭角的に傾斜した状態で突出したガイド部１４４が形成されている。このガイド部１４４も同様に、カバー部材２００の係合溝２１２に第２の係合爪１４２を挿入しやすくするためのものであり、かつ係合溝２１２の入口２１３を画成する入口画成延出部２０８に、第２の係合爪１４２を係合させる役割を果たすものである。
【００３０】
この係合部１４０は、第２の係合爪１４２が、第１の係合爪１４１に対して互い違いに一段低く平行に隣接した構成を備えているため、第１の係合爪１４１及び第２の係合爪１４２は、互いに干渉し合うことなく上下方向に弾性的に変形することができる。すなわち、両係合爪１４１及び１４２は、弾性的に変形するためのスペースを十分に広く確保することができる。したがって、係合溝２１２に適応する許容範囲を大きくとることができる。
【００３１】
側壁１０３は、略中央位置より下側部分に、後に詳細する第２の保持部１３０の形状に対応した曲面が形成されている以外は、係合部１４０が形成されている等、側壁１０２と同様の形状を備えているため、その詳細な説明は省略する。
【００３２】
第１の保持部１２０及び第２の保持部１３０は、側壁１０２及び１０３で囲まれたベース本体１０１上に隣接した状態で設けられている。
【００３３】
第１の保持部１２０は、上部が開放された略Ｃ字状のクランプ部１２１と、クランプ部１２１をベース本体１０１に支持・固定する支持部１２２と、を備えて構成されている。クランプ部１２１は、管３０１を側壁１０２及び１０３と略平行な方向に保持するように設けられている。このクランプ部１２１の両先端間の距離は、管３０１の直径より狭く設計されている。このため、この両先端により画成される開放部から管３０１をクランプ部１２１に嵌め込む際には、クランプ部１２１の両先端が管３０１に押されて弾性的に外側に広がるようになっている。一方、管３０１がクランプ部１２１に嵌め込まれた際には、クランプ部１２１は復元して、管３０１を把持するようになっている。このクランプ部１２１は、側壁１０２の内壁の一部により、その一部が構成されている。
【００３４】
第２の保持部１３０は、管３０１より細い管３０２を保持するものであり、クランプ部１２１に比べて小さい径のクランプ部１３１と、これをベース本体１０１に支持・固定する支持部１３２と、から構成されている。なお、支持部１２２及び１３２は、接続片１３５により接続されている。このクランプ部１３１も、管３０２を側壁１０２及び１０３と略平行な方向に保持するように設けられている。クランプ部１３１は、前述した側壁１０３の曲面によってその一部が構成されている。
【００３５】
このように、管保持部材１００は、クランプ部１２１及び１３１の一部を側壁１０２及び１０３が代用し、係合部１４０は、管保持部材１００の内側寄りに設けられているため、クランプ部を独立した部材で構成したり、係合部を間保持部材の外側寄りに設けた場合に比べ、配管用固定具のサイズを小型化することができる。また、第１の係合爪１４３及び第２の係合爪１４４は、前述したように互い違いに設けられているため、管保持部材１００のサイズを小さくしても、両者が弾性的に変形するためのスペースを十分に広く確保することができる。
【００３６】
カバー部材２００は、管保持部材１００のベース本体１０１に対向した面を覆う第１のカバー部２０１と、第１のカバー部２０１の両側に形成され、側壁１０２及び１０３を各々覆う第２のカバー部２０２Ａ及び２０２Ｂと、から構成されている。このカバー部材２００は、管３０１及び３０２が配設される方向に所望の長さを備えている。
第１のカバー部２０１と、第２のカバー部２０２Ａ及び２０２Ｂとの境界部には、特に図４及び図５に示すような溝２０４が、カバー部材２００の長手方向に平行に形成されている。この溝２０４により、第２のカバー部２０２Ａ及び２０２Ｂは、第１のカバー部２０１に対し、ひんじで接続されたように、その傾斜角度を変更することが可能となっている。
【００３７】
第２のカバー部２０２Ａ及び２０２Ｂの端部には、前記係合部１４０と係合する被係合部２１０が長手方向に平行に設けられている。この被係合部２１０は、第２のカバー部２０２Ａ及び２０２Ｂの端部に沿って、長手方向に平行に設けられた凸部２０６と、この凸部２０６の略中央に設けられた長手方向に平行な係合溝２１２と、係合溝２１２の入口２１３が、係合溝２１２の内部（係合部１４０が収容される収容部）よりも狭くなるように入口２１３を画成する入口画成延出部２０８と、から構成されている。
【００３８】
この第２のカバー部２０２Ａ及び２０２Ｂは、管保持部材１００にカバー部材２００を取り付けた際に、凸部２０６と、第１のカバー部２０１と第２のカバー部２０２Ａ及び２０２Ｂとの境界部との間に、延出部１０７Ａ及び１０７Ｂが収納され、かつ、ベース本体１０１の下面と、第２のカバー部２０２Ａ及び２０２Ｂの端面とが一致するように構成されている。また、入口画成延出部２０８には、係合溝２１２内に収容された係合部１４０のガイド部１４３及び１４４が係合される。さらに、凸部２０６の一部が延出部１０１Ａ及び１０１Ｂに対向するようになっている。
【００３９】
次に、実施の形態１に係る配管用固定具１の具体的動作について図面を参照して説明する。
【００４０】
先ず、取付穴１０４にねじ４０１を通し、壁４００の所定位置に管保持部材１００をねじ止め・固定する。この時、管保持部材１００は、固定すべき管３０１及び３０２の長さ等により、所望の間隔をおいて複数個を壁４００に固定する。
また、カバー部材２００の継ぎ目位置には、図７に示すように、二つの管保持部材１００を連結させて壁４００に固定する。この時、管保持部材１００の凸部１０６と、隣接する管保持部材１００の穴１０５とを嵌合させ、両管保持部材１００を連結させる。このようにすることで、後にカバー部材２００を取り付けた際に、カバー部材２００間の継ぎ目がずれたり、曲がったりすることを防止することができる。
【００４１】
次に、クランプ部１２１に管３０１を、クランプ部１３１に管３０２をはめ込む。このようにして、壁４００に配管を行う。
【００４２】
次いで、管３０１及び３０２が固定された管保持部材１００の延出部１０７Ａ及び１０７Ｂに、第１のカバー部２０１を載せ、溝２０４を支点として第２のカバー部２０２Ａ及び２０２Ｂを側壁１０２及び１０３に向けて折り曲げる。このようにして、係合溝２１２が係合部１４０と対向するようにする（図６(1)参照）。
【００４３】
次に、第２のカバー部材２０２Ａ及び２０２Ｂを側壁１０２及び１０３に押し付け、係合溝２１２内に係合部１４０を挿入する（図６(2)参照）。この時、ガイド部１４３及び１４４は、入口画成延出部２０８に押接されながら第１の係合爪１４１及び第２の係合爪１４２を係合溝２１２内に誘導する。具体的には、第１の係合爪１４１は下方に、第２の係合爪１４は上方に弾性的に変形させて係合溝２１２内に挿入する。この動作によって、両係合爪１４１及び１４２を入口２１３から係合溝２１２内に簡単に挿入することができる。
【００４４】
次いで、両ガイド部１４３及び１４４が入口２１３を超えると、両係合爪１４１及び１４２は、前記変形が復元され、両ガイド部１４３及び１４４が入口画成延出部２０８に係合する（図６(3)参照）。
【００４５】
このようにすることで、管保持部材１００にカバー部材２００を簡単・確実に固定することができる。
【００４６】
また、管３０１及び３０２のメンテナンス等の際には、カバー部材２００を管保持部材１００から簡単に取り外すことができる。
【００４７】
ここで、第１の係合爪１４１及び第２の係合爪１４２は、前述したように互い違いに配設されているため、係合溝２１２内に挿入された後でも、互いに干渉し合うことなく上下方向に弾性的に変形することができる。このため、例えば、係合溝２１２の寸法にある程度の誤差があったり、壁４００に歪み等があって、管保持部材１００の取付け位置が若干ずれても、これらの誤差やずれを前記変形によって許容することができる。この結果、カバー部材２００が曲がったり、ずれたりすることを防止することができ、また、釘やねじ等が外に出ないため、美観を向上することができる。
【００４８】
なお、実施の形態１では、係合部１４０を側壁１０２及び１０３に設けた場合について説明したが、これに限らず、係合部１４０は、例えば、支持部１２２及び１３２に設ける等、任意の位置に設けることができる。また、この場合には、側壁１０２及び１０３は、必ずしも設けなくてもよい。
【００４９】
また、実施の形態１では、係合部１４０を、第１の係合爪１４３及び第２の係合爪１４４から構成した場合について説明したが、これに限らず、第１の係合爪１４３の両側に第２の係合爪１４４を設ける等、係合爪を３つ以上設けてもよい。また、係合部１４０は、互い違いに隣接した部材が、カバー部材２００の被係合部２１０に着脱自在に係合する構造であれば、他の構造であってもよい。
【００５０】
そしてまた、被係合部２１０は前述した構造に限らず、係合部１４０が着脱自在に係合することが可能であれば、蟻溝状等、他の構造であってもよい。また、実施の形態１では、カバー部材２００の端部に沿って被係合部２１０を配設したが、これに限らず、被係合部２１０は、少なくとも係合部１４０と対応する位置に形成されていればよい。さらにまた、カバー部材２００に係合部１４０を設け、管保持部材１００に被係合部２１０を設けてもよい。
【００５１】
さらにまた、実施の形態１では、２本の管３０１及び３０２を保持する管保持部材１００について説明したが、これに限らず、本発明に係る管保持部材は、１本の管を保持する構造であってもよく、また、３本以上の管を保持する構造であってもよい。
【００５２】
（実施の形態２）
次に、本発明に係る実施の形態２について図面を参照して説明する。なお、実施の形態２では、実施の形態１で説明した配管用固定具１と同様の部材には、同一の符合を付し、その詳細な説明は省略する。
【００５３】
図８は、実施の形態２に係る配管用固定具の斜視図、図９は、図８のIX−IX線に沿った断面図である。
【００５４】
実施の形態１に係る配管用固定具２の実施の形態１に係る配管用固定具１との異なる点は、壁面４００と天井４１０との境や、壁４００と壁４００との境等のコーナー部分に適用することが可能な形状を備えていることである。なお、実施の形態２では、壁面４００と天井４１０との境であって、この部分に回り縁４２０が形成されている部分に適用する場合について説明する。
【００５５】
実施の形態２に係る配管用固定具２は、管保持部材１５０と、この管保持部材１５０に着脱自在に係合するカバー部材２５０とから構成されている。
管保持部材１５０は、ベース１５１と、ベース１５１に設けられ、管３０１を保持する第１の保持部１２０及び管３０２を保持する第２の保持部１３０と、カバー部材２５０の被係合部２１０に係合する係合部１４０と、を備えて構成されている。
【００５６】
ベース１５１は、断面略Ｌ字形状の第１のベース１５２と、この第１のベース１５２の一方の先端に、第１のベース１５２と同じ向きで連続形成され、かつ第１のベース１５２より若干小さな断面略Ｌ字状形状を備えた第２のベース１５３とを備えている。
【００５７】
第１のベース１５２には、第１の保持部１２０が形成されている。また、第１のベース１５２の端部（第２のベース１５３から離れた側の端部）の略中央部には、内側に向けて突出した断面Ｌ字状の延出部１５５が形成されている。この延出部１５５の先端は、第１の保持部１２０の一端に固定されている。
【００５８】
一方、第１のベース１５２と第２のベース１５３との境界部には、第２の保持部１３０が、第２のベース１５３と所定の間隔をあけて位置するように設けられている。また、第２のベース１５３の端部（第１のベース１５２から離れた側の端部）の略中央部には、内側に向けて突出した断面Ｌ字状の延出部１５６が形成されている。この延出部１５６の先端は、第２のベース１５３の、第１のベース１５２に連側される側壁に固定されている。すなわち、この延出部１５６の一方は、第２のベース１５３と第２の支持部１３０との間に配設される。
【００５９】
なお、この実施の形態でも、第１の保持部１２０及び第２の保持部１３０は、管３０１及び３０２を互いに平行に配設するように設けられている。
【００６０】
第１の保持部１２０の第１のベース１５２に固定された先端には、第１のベース１５２の延出部１５５が形成されている面と平行に係合部１４０が設けられている。すなわち、この係合部１４０は、基端側を支点として、第１の係合爪１４１と第２の係合爪１４２を、図８及び図９において上下方向に弾性的に変形させるように設けられている。
【００６１】
一方、延出部１５６には、係合部１４０が、延出部１５６と第２の支持部１３０との間に配設され、かつ、基端側を支点として、第１の係合爪１４１と第２の係合爪１４２が、図８及び図９において左右方向に弾性的に変形するように設けられている。
【００６２】
なお、第１のベース１５２及び第２のベース１５３の所定位置には、管固定部材１５０を壁４００及び天井４１０に、ねじ４０１で固定するための取付穴１０４が設けられている。また、管固定部材１５０の管３０１及び３０２の配設方向の端面には、凸部１０６及びこれに係合する穴１０５が設けられている。
【００６３】
この構成を備えた管保持部材１５０は、ベース１５１を、第１のベース１５２と第２のベース１５３とを前述したように組み合わせた構造としたため、回り縁４２０が形成されたコーナー部に、好適に適用することができる。また、管保持部材１５０の大きさを必要最低限にすることができる。
【００６４】
カバー部材２５０は、第１のカバー部２０２Ａと、第２のカバー部２０２Ｂとを繋げた構造を有しており、その境界部には、ひんじの役割を果たす溝２０４が形成されている。カバー部材２５０は、この溝２０４を支点として、折り曲げることができる。なお、このカバー部材２５０の幅（溝２０４を挟んだ両端間の距離）は、図９に示すように、管保持部材１５０にカバー部材２５０を取り付けた際に、第１のカバー部２０２Ａの端面が天井４１０に近接し、第２のカバー部２０２Ｂの端面が壁４００に近接するように設定されている。
【００６５】
次に、実施の形態２に係る配管用固定具２の具体的動作について説明する。
【００６６】
先ず、取付穴１０４にねじ４０１を通し、壁４００及び天井４１０の所定位置に管保持部材１５０をねじ止め・固定する。この時、管保持部材１５０は、固定すべき管３０１及び３０２の長さ等により、所望の間隔をおいて複数個を固定する。 また、カバー部材２５０の継ぎ目位置には、実施の形態１と同様に、二つの管保持部材１５０の凸部１０６と穴１０５とを嵌合させて、両者を連結・固定する。
【００６７】
次に、クランプ部１２１に管３０１を、クランプ部１３１に管３０２をはめ込む。このようにして、回り縁４２０のあるコーナー部に配管を行う。
【００６８】
次いで、管３０１及び３０２が固定された管保持部材１５０に、第２のカバー部２０２Ａ及び２０２Ｂを、溝２０４を支点として折り曲げて被せ、係合溝２１２内に係合部１４０を挿入する。
【００６９】
このようにして、実施の形態１と同様に、管保持部材１５０にカバー部材２５０を簡単・確実に固定する。
【００７０】
この実施の形態２に係る配管用固定具２も、実施の形態１に係る配管用固定具１と同様に、カバー部材２００が曲がったり、ずれたりすることを防止することができ、また、釘やねじ等が外に出ないため、美観を向上することができる。
【００７１】
なお、実施の形態２では、ベース１５１の形状を、回り縁４２０に適用可能な形状としたが、これに限らず、例えば、回り縁４２０が存在しないコーナー部分に適用する際には、ベース１５１の形状を断面略Ｌ字形状としてもよい。
【００７２】
【発明の効果】
以上説明したように、本発明に係る配管用固定具は、互い違いに隣接された複数の係合爪を備えた係合部を、被係合部に係合させることで、管保持部材にカバー部材を取り付ける構造を備えているため、係合部が被係合部に係合した後でも、前記係合爪は、互いに干渉し合うことなく上下方向に弾性的に変形することができる。したがって、被固定部材に歪みがあったり、係合部と被係合部との間にある程度のずれがあっても、これらを前記変形によって許容することができ、カバー部材が曲がったり、ずれたりすることを防止することができる。また、配管用固定具の形状を、被固定部材面の形状に合わせて、例えば、断面略Ｌ字状にする等、調整することで、その大きさを必要最低限にすることができる。この結果、小型化が達成され、美観に優れた配管用固定具を提供することができる。
【図面の簡単な説明】
【図１】本発明の実施の形態１に係る配管用固定具の斜視図である。
【図２】図１に示す配管用固定具のII−II線に沿った断面図である。
【図３】図１に示す配管用固定具の管保持部材の右側面図である。
【図４】図１に示す配管用固定具のカバー部材の展開平面図である。
【図５】図４に示すカバー部材の展開正面図である。
【図６】図１に示す配管用固定具の管保持部材がカバー部材に係合する工程を示す断面工程図である。
【図７】実施の形態１に係る管支持部材を連結した状態を示す斜視図である。
【図８】本発明の実施の形態２に係る配管用固定具の斜視図である。
【図９】図８のIX−IX線に沿った断面図である。
【符号の説明】
１、２    配管用固定具
１００、１５０    管保持部材
１１０    ベース
１２０    第１の保持部
１３０    第２の保持部
１４０    係合部
１４１、１４２    係合爪
２１０    被係合部
【図１】
0003813276.tif 000002
【図２】
0003813276.tif 000003
【図３】
0003813276.tif 000004
【図４】
0003813276.tif 000005
【図５】
0003813276.tif 000006
【図６】
0003813276.tif 000007
【図７】
0003813276.tif 000008
【図８】
0003813276.tif 000009
【図９】
0003813276.tif 000010